(57)【要約】【課題】多数設けられている照明の中から所望の照明装置だけを迷わず、確実に遠隔操作できるとともに、オンオフの誤動作を防ぐことができる照明装置を提供する。【解決手段】複数の受光部３が、発光部２の近傍で、かつ、当該発光部２が点灯している状態において各受光部３から出力される出力信号の値が略等しくなる位置に離間させて設けられており、前記点消灯制御部４が、各受光部３から出力される出力信号の値を比較して、いずれかの受光部３からの出力信号の値が大きい場合には、前記発光部２の点消灯を切り替えるように構成した。【選択図】図３
2011243346.tif 000002
【特許請求の範囲】
【請求項１】
照明光を射出する発光部と、可視光の操作光を受光し、受光する光の量に応じた値の出力信号を出力する受光部と、前記受光部から出力される出力信号に基づいて、前記発光部の点消灯を制御する点消灯制御部とを備えた照明装置であって、
複数の受光部が、前記発光部の近傍で、かつ、当該発光部が点灯している状態において各受光部から出力される出力信号の値が略等しくなる位置に離間させて設けられており、
前記点消灯制御部が、各受光部から出力される出力信号の値を比較して、いずれかの受光部からの出力信号の値が大きい場合には、前記発光部の点消灯を切り替えるように構成されていることを特徴とする照明装置。
【請求項２】
複数の前記受光部が、前記発光部が設けられている略全領域に等間隔に設けられている請求項１記載の照明装置。
【請求項３】
前記受光部が、並列に接続された複数の受光素子により構成されている請求項１又は２記載の照明装置。
【請求項４】
前記操作光を拡散させて、前記受光部に入射させる拡散板を更に備えた請求項１、２又は３記載の照明装置。
【請求項５】
前記拡散板が、前記受光部が並んでいる方向に光を拡散させるものである請求項４記載の照明装置。
【請求項６】
前記受光部が３つ以上設けられており、
前記点消灯制御部が、ある２つの前記受光部から出力される電気出力の値の差が所定の値となった場合に前記発光部の点消灯を切り替えるように構成されている請求項１、２、３、４又は５記載の照明装置。
【請求項７】
前記受光部に入射する光のうち、前記操作光以外の波長の光を遮る遮光フィルタを更に備えたものである請求項１、２、３、４、５又は６記載の照明装置。
【請求項８】
前記受光部が１又は複数のＬＥＤで構成される請求項１、２、３、４、５、６又は７記載の照明装置。
【請求項９】
前記操作光がレーザポインタから射出されるレーザ光である請求項１、２、３、４、５、６、７又は８記載の照明装置。
【請求項１０】
請求項１乃至９いずれかに記載の照明装置が複数設けられた照明システム。
【発明の詳細な説明】
【技術分野】
【０００１】
本発明は、赤外線リモコン等の専用のコントローラを用いずに遠隔操作することができる照明装置に関するものである。
【背景技術】
【０００２】
会議室やオフィス等では、天井照明の全てを１つのスイッチで一斉にオンオフするのではなく、天井照明をいくつかのグループに分けて、各グループの照明ごとに独立してオンオフできるようにする場合が多い。
【０００３】
このような照明システムを採用する理由としては、例えば会議室においては、プレゼン時に使用されるスクリーンの手前を他の照明から独立してオンオフできるようにしてスクリーンに映し出される映像を見えやすくするためであり、また、オフィス等の大部屋においては、例えばエコの観点から必要な照明だけを点灯できるようにするためである。
【０００４】
ところで、このような照明システムでは、当然のことながら、壁にスイッチパネルを取り付ける等して、独立照明の数だけスイッチを設ける必要がある。
【０００５】
そして、前述したスイッチパネルのように、スイッチが１箇所に集められていると、どのスイッチがどの照明に対応しているかが分かりにくく、所望の照明を迷わずに操作することが難しくなる。さらに、照明をオンオフするためには、スイッチパネルにまで足を運ばなければならず特に大きな部屋では操作がわずらわしい。
【０００６】
かかるわずらわしさは、例えば会議室でプレゼンをする場合等に顕著となる。具体的には会議中において話し合いからプレゼンに移る時に、スクリーン手前の照明を消そうとしてスイッチパネルにまで足を運んで操作をするのでは、会議の流れが途切れてしまうし、さらに、切り替えるべき照明に対応するスイッチが分かりにくいと、操作に手間取って進行が妨げられることもある。
【０００７】
そこで、特許文献１、２には、各蛍光灯の近傍にそれぞれセンサを１つずつ設けておき、レーザポインタで所望の蛍光灯に付随するセンサをポインティングすることによって、当該蛍光灯をオンオフできるようにした構成が開示されている。
【０００８】
しかしながら、このようなものでは、センサにピンポイントでレーザ光を当てなければならないうえ、センサの位置が分かりにくい場合もあって、例えば初めて操作する人にとっては蛍光灯をオンオフできないという事態すら生じ得る。つまり、操作の確実性や容易性という点で大きな問題点がある。
【０００９】
また、レーザポインタから発する可視光でオンオフ制御をしているために、蛍光灯からの光等で誤動作する恐れも高い。
【００１０】
かといって、操作光に変調光を用いると、市販のレーザポインタが使えなくなるし、赤外光や紫外光など特殊な光を用いると、操作者が視認できないので、使い勝手が悪くなるという不具合が生じる。
【先行技術文献】
【特許文献】
【００１１】
【特許文献１】特開２００９−２５９５４０号公報
【特許文献２】特開２００９−３２４４２号公報
【発明の概要】
【発明が解決しようとする課題】
【００１２】
本発明は、上述したような問題点を一挙に解決するためになされたものであり、多数設けられている照明の中から所望の照明装置だけを迷わず、確実に遠隔操作できるとともに、オンオフの誤動作を防ぐことができる照明装置を提供することを目的とする。
【課題を解決するための手段】
【００１３】
すなわち、本発明の照明装置は、照明光を射出する発光部と、可視光の操作光を受光し、受光する光の量に応じた値の出力信号を出力する受光部と、前記受光部から出力される出力信号に基づいて、前記発光部の点消灯を制御する点消灯制御部とを備えた照明装置であって、複数の受光部が、前記発光部の近傍で、かつ、当該発光部が点灯している状態において各受光部から出力される出力信号の値が略等しくなる位置に離間させて設けられており、前記点消灯制御部が、各受光部から出力される出力信号の値を比較して、いずれかの受光部からの出力信号の値が大きい場合には、前記発光部の点消灯を切り替えるように構成されていることを特徴とする。
【００１４】
このようなものであれば、前記受光部が複数設けられ、前記点消灯制御部が、各受光部から出力される出力信号の値を比較して、いずれかの受光部からの出力信号の値が大きい場合には前記発光部の点消灯を切り替えるように構成されており、しかも、各受光部は、発光部が点灯している状態では略同じ出力信号の値を出力するように発光部の近傍に設けられているので、例えば、各受光部に前記発光部から射出される光が外乱光として入射したとしても各受光部からは略同じ出力信号の値しか出力されず、前記点消灯制御部は点消灯を切り替えるように動作しない。このように、外乱光が入射している場合においては、誤作動により前記発光部の点消灯が切り替えられるのを防ぐことができる。別の側面から考えると、各受光部からの出力信号の値を比較する構成を有していることから、外乱による誤作動を防ぐことができるので、従来のように操作光として変調された点滅光を用いることによって誤作動を防ぐ必要が無い。従って、操作光を射出するものとしては、一般的なレーザポインタ等の連続光を照射するデバイスを用いることができ、専用の操作デバイスを作成する必要が無く、コストの増大を招く事もない。また、スイッチに自分から近づかなければならないといったわずらわしさもなく、その場で照明装置の点消灯を切り替えることができる。
【００１５】
一方、操作光が前記受光部の１つに入射した場合には、前記点消灯制御部により各受光部から出力される出力信号の値を比較され、操作光の入射した前記受光部の出力信号の値が大きくなっていることが検出されることにより、点消灯を切り替えることができる。
【００１６】
さらに、前記操作光は可視光であることから、複数の照明装置が設けられていたとしても、ポインティングしている照明装置がどの照明装置であるかが、使用者には容易に判別することができ、複数設けられている照明装置から所望の照明装置だけを選択して点消灯の切り替えを迷わずに遠隔操作で簡単に行うことができる。
【００１７】
加えて、前記受光部が複数あり、各受光部の出力信号の値が比較されることによって前記発光部の点消灯が切り換えられるので、使用者はどの受光部に操作光を当てても構わない。従って、使用者は、受光部の位置を気にすることなく、大まかな場所に操作光を当てるだけで簡単に照明装置をオンオフできる。
【００１８】
複数の前記受光部が、前記発光部が設けられている略全領域に等間隔に設けられているものであれば、使用者は照明装置の発光している部分に対して操作光を照射することによって点消灯を略操作することができ、どこに受光部があるかということを考えずに簡単に使用する事ができる。
【００１９】
受光部が広範囲で操作光を受光できるようにして、オンオフの切り替えをしやすくするには、前記受光部は複数の受光素子で構成されるものであればよい。その際の電気回路構成としては、各受光素子が並列に接続されているものであればよい。
【００２０】
照射された操作光が前記受光部に入りやすくなり、より確実にオンオフの操作ができるようにするには、前記操作光を拡散させて、前記受光部に入射させる拡散板を更に備えたものであればよい。
【００２１】
前記受光部に入射する操作光の量を多くして、外乱光よりも値の大きい信号を得やすくし、より確実に点消灯の操作を行うことができるようにするには、前記拡散板が、前記受光部が並んでいる方向に光を拡散させるものであればよい。
【００２２】
外乱光による点消灯の誤作動を防ぎつつ、操作光によるオンオフ操作を行いやすくするための具体的な実施の態様としては、前記受光部が３つ以上設けられており、前記点消灯制御部が、ある２つの前記受光部から出力される電気出力の値の差が所定の値となった場合に前記発光部の点消灯を切り替えるように構成されているものであればよい。このようなものであれば、ある２つの隣接する受光部の境界に操作光が入射して、隣接する２つの受光部から出力される出力信号の値が略同じものになってしまったとしても、もうひとつ別の受光部との出力信号の値の差は生じているので点消灯を切り替えることができる。
【００２３】
外乱光による点消灯の誤動作をより防ぐことができるようにしたり、前記受光部から出力される出力信号の値が飽和してしまうのを防いだりするには、前記受光部に入射する光のうち、前記操作光以外の波長の光を遮る遮光フィルタを更に備えたものであればよい。
【００２４】
操作光を受光する受光部を安価に構成するには、前記受光部が１又は複数のＬＥＤで構成されるものであればよい。
【００２５】
前記操作光がレーザポインタから射出されるレーザ光であれば、専用の操作デバイスを用意する必要が無く、しかも操作光を照射しているポイントを使用者が容易に認識することができる。従って、複数の照明装置が設けられている場合にある一つの照明装置だけを操作することが容易にできる。
【００２６】
前述した照明装置が複数設けられた照明システムであれば、複数設けてある照明装置のうち、ある一つだけに可視光の操作光をポインティングすることにより、１つの照明装置だけの点消灯を切り替えることができる。このため、人が少ない場合には必要最小限の領域だけを照明するように簡単に点消灯を切り替えてエコを推進することができる。また、部屋の一部だけ明るさを調整したい場合にも容易に切り替えを行うことができる。
【００２７】
また、従来の照明システムでは、複数の蛍光灯が予め決められたグループとしてスイッチによりオンオフされるようになっているため、決まったパターンの中でしか蛍光灯の切り替えができないところを、本発明の照明システムであれば各照明装置のオンオフを独立して切り替えることができるので、例えば、部屋の中にばらばらに人がいる場合にはそれぞれ人のいる箇所だけ点灯したり、窓に近い外光の入るところだけ消灯したりすることができる。つまり、本発明の照明システムによれば、非常に自由度の高い照明パターンを作ることができる。
【発明の効果】
【００２８】
このように本発明の照明装置によれば、可視光の操作光を受光する前記受光部が複数設けられており、前記点消灯制御部が各受光部からの出力信号の値を比較し、いずれかの受光部の出力信号の値が大きくなった場合に前記発光部の点消灯を切り替えるように構成されているので、変調された操作光を用いなくても外乱光による誤動作を防ぎつつ点消灯の操作を行うことができる。このことから、例えば市販のレーザポインタを操作デバイスとして使用する事ができ、使用者は操作光をどこに照射しているのかを容易に認識することができ、複数の照明装置がある場合等においてある所望の照明装置だけを迷わずに操作することができる。また、複数の受光部が並べて設けてあるので、大まかに操作光を当てるだけで、オンオフを確実に切り替えることができる。
【図面の簡単な説明】
【００２９】
【図１】本発明の一実施形態に係るＬＥＤ蛍光管の模式的斜視図。
【図２】同実施形態におけるＬＥＤ蛍光管の模式的横断面図。
【図３】同実施形態におけるＬＥＤ蛍光管の模式的縦断面図。
【図４】同実施形態における受光部の構成を示す模式的回路図。
【図５】同実施形態における口金部の模式的断面図。
【図６】同実施形態におけるＬＥＤ蛍光管の機能ブロック図。
【図７】本発明の別の実施形態に係るＬＥＤ蛍光管の発光部、受光部の並びを示す模式図。
【発明を実施するための形態】
【実施例】
【００３０】
以下、本発明の一実施形態について図面を参照して説明する。
【００３１】
本実施形態の照明装置は、図１の斜視図に示すように屋内において天井等に設けられている蛍光灯本体６に、蛍光灯の替わりに取り付けられる互換機能を有したＬＥＤ蛍光管１００である。
【００３２】
前記ＬＥＤ蛍光管１００は、概略細円筒状のものであり、その両端に設けられた前記蛍光灯本体６に取り付けられる口金部１１と、２つの前記口金部１１に挟まれる円筒状の照明部Ｌとから構成してあるものである。例えばこのＬＥＤ蛍光管１００を天井に多数ある蛍光灯本体に取り付けることにより照明システムを構成する。
【００３３】
前記照明部Ｌは、図２の横断面図、図３の縦断面図に示すように、前記ＬＥＤ蛍光管１００の長手方向に伸びる各種ＬＥＤが実装される基板１２と、前記基板１２の裏側に設けられ、長手方向に伸びる概略直方体形状のＬＥＤの放熱を行うための放熱部１３と、前記放熱部１３及び前記基板１２と係止される概略Ｃ字状に曲がって長手方向に伸びるカバー部１４とから構成してある。前記カバー部１４は本実施形態では半透明のものであり、前記基板１２上に実装される後述する発光部２２からの光を透過するように構成してあり、後述する点消灯等の操作のために外部から入射させられるレーザ光が拡散した後に基板１２の広範囲に入射するようにしてある。
【００３４】
前記基板１２の表側には、照明光を射出する発光部２と、可視光の操作光を受光し、受光する量に応じた値の出力信号を出力する受光部３とが形成してある。
【００３５】
前記発光部２は、図３（ａ）、（ｂ）に示すように基板１２上において長手方向にわたって設けてあり、前記発光部２が設けられている領域の略全域にわたって等間隔に前記受光部３が設けてある。より具体的には、前記発光部２は、複数の発光素子２１であるＬＥＤから構成されるものであり、前記発光素子２１は、前記基板１２上において長手方向に等間隔で一列に設けてあるものである。
【００３６】
前記受光部３は、図３（ａ）に示すように複数の受光素子３１により２つ構成してあり、複数の受光部３が、前記発光部２の近傍で、かつ、当該発光部２が点灯している状態において各受光部３から出力される出力信号の値が略等しくなる位置に離間させて設けてある。なお、操作光や外乱光は入射していない状態で発光部２に対する前記受光部３の位置を決めてある。
【００３７】
本実施形態では説明の便宜上、図３（ａ）の左側にある複数の受光素子３１により構成される受光部３を第１受光部３（１）とし、もう片方の受光部３を第２受光部３（２）とする。前記第１受光部３（１）と前記第２受光部３（２）は同数のＬＥＤを用いて構成してあり、前記発光素子２１と同ピッチで設けてある。より具体的には、前記発光素子１個に対して前記受光素子３１が１個設けてあり、前記発光素子２１が一列に並べてあるのと平行となるように受光素子３１も一列に設けてある。このように受光素子３１としてフォトダイオード等ではなくＬＥＤを用いると安価に受光部３を構成することができる。
【００３８】
ここで前記発光素子２１として使用しているＬＥＤと前記受光素子３１として用いているＬＥＤとは同種のものであってもよいし、異なる種類のものであっても構わない。前記発光素子２１として用いているＬＥＤは照明光を射出する目的に使用しているのに対して前記受光素子３１として用いられているＬＥＤは点灯させることはなく、入射した光の量に応じた出力信号を検出できるようにしてある。
【００３９】
また、各受光部３の回路構成について説明すると、図４に示すように各受光部３は、独立した回路によって形成してあるものであり、それぞれ複数の受光素子３１を並列に接続し、各受光素子３１に入射した光による出力信号を増幅回路によって増幅するようにしてある。
【００４０】
前記口金部１１の内部には、前記蛍光灯本体６から供給される交流電圧をＬＥＤの点灯に適した直流に変換するための直流変換回路（図示しない）や図５に示すように前記照明部Ｌの各種制御を行う制御部Ｃが設けてある。なお、前記直流変換回路は、前記口金部１１の内部に設けるのではなく、蛍光管の外側に設けても構わない。
【００４１】
前記制御部Ｃは、Ａ／Ｄボード、タイマ、ＣＰＵ、メモリ等を有する制御用のマイコンによってその機能が実現されるものであって、少なくとも前記受光部３から出力される出力信号に基づいて、前記発光部２の点消灯を制御する点消灯制御部４としての機能を発揮するものである。
【００４２】
前記点消灯制御部４は、各受光部３の出力信号の値を比較して、いずれかの受光部３からの出力信号の値が大きい場合には、前記発光部２の点消灯を切り替えるものである。より具体的には、図６の機能ブロック図に示すように前記点消灯制御部４は、第１受光部３（１）と第２受光部３（２）から出力される電気出力の値の差が所定の値となった場合に、ＦＥＴスイッチによって構成される前記発光部２のＯＮ／ＯＦＦスイッチ５に対して切り替え指示信号を出力して、前記発光部２の点消灯を切り替えるように構成してある。なお、本実施形態では、各受光部３から出力される電圧値を比較しており、前記点消灯制御部４は、一度所定の電圧差が生じた後の所定時間内にもう一度、所定の電圧差が生じた場合に切り替え指示信号を出力するように構成してある。つまり、操作光が所定時間内に２回入射したことをもって、使用者により点消灯の操作が行われたと判断されるようにしてある。
【００４３】
このように構成されたＬＥＤ蛍光管１００における点消灯の切り替え時の動作について、操作光を前記ＬＥＤ蛍光管１００に照射するためのデバイスとしてレーザポインタを用いている場合の説明をする。ここで操作光として用いられるレーザポインタから射出されるレーザ光は、連続光を射出するものであり、特に変調等は行われていないものである。
【００４４】
使用者は、例えばＬＥＤ蛍光管１００を点灯状態から消灯状態に変えたい場合に、市販のレーザポインタによりＬＥＤ蛍光管１００の照明部Ｌに対して操作光であるレーザ光でポインティングする。前記第１受光部３（１）又は前記第２受光部３（２）のいずれにもレーザ光が入射していない状態では、発光部２からの照明光が前記各受光部３に入射しているため、ある一定の値の出力信号が出力されているが、それは略同じ値であるため、前記点消灯制御部４は、発光部２の点消灯の切り替えを行わない。前記第１受光部３（１）又は前記第２受光部３（２）のいずれかの受光素子３１にレーザ光が入射すると、一方の受光部３から出力される出力信号の値がより大きくなるため、前記点消灯制御部４は、前記ＯＮ／ＯＦＦスイッチ５に対して切り替え指示信号を出力し、前記発光部２は点灯状態から消灯状態となる。
【００４５】
このように、本実施形態のＬＥＤ蛍光管１００によれば、上述したように２つの受光部３が発光部２の近傍に離間させて設けてあり、しかも、前記発光部２が点灯状態の時において各受光部３から出力される出力信号の値が略同じものとなる位置にしてあるとともに、各受光部３の出力信号の値を比較して、所定の差が表れた場合のみ発光部２の点消灯を切り替えるように構成してあるので、前記発光部２から射出される光が各受光部３に入射しても各受光部３から出力される出力信号の値の差に所定の差が生じることはほとんどないことから、前記発光部２から射出される光が外乱光となってしまうことによる点消灯の誤作動は生じにくい。
【００４６】
さらに、前述したような外乱光による点消灯の誤作動は、各受光部３から出力される電圧値の比較を行うことにより防ぐことができるので、誤作動を防ぐために従来のような変調された光を用いる赤外線リモコン等の方式を用いなくてもよい。従って、変調された光を射出することができない市販のレーザポインタ等の光源から射出される光を操作のための操作光として使用することができる。
【００４７】
また、レーザポインタのように可視光で光を照射している位置を使用者が視認できるデバイスを点消灯の操作に用いることができるので、例えば、前記ＬＥＤ蛍光管１００が複数並べて設けられていたとしてもある所望のＬＥＤ蛍光管１００だけを迷わずに操作することができる。
【００４８】
加えて、前記受光部３が前記発光部２の近傍に設けられており、前記受光部３を構成する受光素子３１が管の長手方向にわたって等間隔で一列に設けてあるので、ＬＥＤ蛍光管１００の発光している場所に向かってレーザポインタにより光を照射するだけでも、受光部３に操作光を簡単に入射させることができる。つまり、使用者はあまり受光部３がどこにあるかといったことを意識せずに点消灯の切り替えを行うことができるとともに、ＬＥＤ蛍光灯１００のどこかに光を当てるだけで確実にオンオフを切り替えることができる。
【００４９】
その他の実施形態について説明する。
【００５０】
前記実施形態では前記発光部を構成する発光素子が長手方向に一列に並んでいるのに対して、前記受光部を構成する受光素子も片側に同様のピッチで一列に設けてあったが、図７（ａ）に示すように前記発光素子の列に対して両側に前記受光素子を設けても構わないし、図７（ｂ）に示すように両側に交互に表れるように設けても構わない。また、受光部の構成の仕方は前記実施形態に限られるものではなく、各受光部同士が離間しており前記発光部から入射する照明光により出力される出力信号の値が略等しくなる位置に設けてあればよい。また受光部の数は２つに限られるものではなく、更に複数であってもよいし、例えば図７の各図に示されるように様々な構成の仕方が挙げられる。
【００５１】
前記実施形態では、前記受光部は２つだけであったが、より３つ以上であっても構わない。この場合、各受光部が発光部から照射される照明光によって出力する出力信号の値が略同じになるように離間させて設けてあるとともに、前記点消灯制御部が各出力信号の値を比較していずれかの受光部からの出力信号の値が大きいと検出された場合に発光部の点消灯を切り替えるように構成すればよい。このようなものであれば、各受光部の境界に操作光が入射しており、ある２つの受光部からの出力信号の値が同じになってしまったとしても、もうひとつ別の受光部からの出力信号との値とは差が生じるので点消灯を切り替えることができる。つまり、各受光部の境界に操作光が入射したとしても、点消灯が切り替えることができるので、操作光に反応しない領域をより少なくすることができ、操作しやすいものにできる。
【００５２】
また、前記実施形態では前記受光部に含まれる受光素子の数は、同数であったが、異なる個数で各受光部を構成しても構わない。この場合、受光部ごとの受光素子の個数の比率や出力信号の値の比率に応じて、各受光部から出力される出力信号にゲインをかけるように構成しておき、外乱である発光部からの光が入射している場合の出力信号が、どの受光部からでも略同じ値が出力されるようにしておけばよい。このように構成しておけば、各受光部の受光素子の個数や特性が多少異なっていたとしても、外乱である発光部からの光による出力信号は各受光部からの出力信号の値を比較し、差分を取ることにより外乱光の効果をほとんどなくすことができ、レーザ光等による操作によって生じた出力信号のみを取り出すことができるようになる。
【００５３】
前記実施形態では、前記点消灯制御部は制御用のマイコンにより構成されていたが、点灯／消灯状態をラッチ切り替え可能なフリップフロップ等のロジックＩＣで構成しても構わない。また、前記実施形態では、より確実に点消灯の誤作動を防ぐことができるように、各受光部からの出力信号の差が所定時間以内に２回所定の値以上になった場合に点消灯を切り替えるように構成していたが、１回出力信号の差が所定の値以上となった時点で点消灯を切り替えるようにしても構わない。前記受光部は、受光素子だけでなく、増幅器やフィルタ等を備えたものであっても構わない。また、各受光部からの出力信号の差分を取った後においても、増幅器やフィルタによる信号処理を行っても構わない。
【００５４】
前記受光部に入射する光のうち、前記操作光以外の波長の光を遮る遮光フィルタを更に備えたものであっても構わない。例えば、前記カバー部の表面等に遮光フィルタを形成しても構わないし、前記各受光部を覆うように遮光フィルタを設けても構わない。このようなものであれば、前記受光部に入射する光を操作光と同じ波長のものだけに限定することができ、入射する光の量が多すぎて受光部から出力される出力信号の値が飽和してしまうことを防ぎ、常に操作光が入射しているかどうかを検出することができる。
【００５５】
前記実施形態ではカバー部は半透明なものであったが、拡散板を曲げて形成したものであっても構わない。つまり、ＬＥＤ蛍光管が前記操作光を拡散させて、前記受光部に入射させる拡散板を備えるものであっても構わない。また、光を拡散させる効果の小さい透明な材料でカバー部を構成しても構わない。
【００５６】
前記拡散板の光を拡散させる方向が受光部の並んでいる列方向に操作光を拡散させるように構成してもよい。このようなものであれば、より操作光が受光部に入射する量が増加するので、外乱との区別が行いやすくなるので、確実に点消灯を切り替えることができるようになる。
【００５７】
前記実施形態では照明装置は、棒状のＬＥＤ蛍光管であったが、その他の形状であっても構わない。例えば円環状のＬＥＤ蛍光管等であっても構わない。また、照明装置はＬＥＤ蛍光管に限られるものではなく、その他の一般的な照明であっても構わない。例えば、ＬＥＤを平面に敷き詰めて形成した概略長方形状の面発光型の照明装置等であっても構わない。このようなものであれば、直管型のＬＥＤ蛍光管に比べて面積が広いため、レーザポインタからの操作光を入射させやすいので、遠方からでも点消灯の操作をし易いものとすることができる。
【００５８】
また、受光部はＬＥＤや受光素子等を並べて設けたもの以外であってもよい。要するに各受光部に入射する光による出力信号の差を取り、その差に基づいて操作光を検出し、点消灯の切り替えを行うものであればよい。例えば、前記受光部がライトガイドを用いて構成されるものであり、当該ライトガイドが、発光部の並んでいる方向に沿って設けられた複数の光入射部と、光入射部から入射した光がライトガイドの内部を進行した後に射出される光射出部とを備え、前記光射出部から射出された光を受光素子で検出するように構成したものであればよい。このようなものであれば、少なくとも２つの受光素子だけで、それぞれのライトガイドに入射した光による出力信号の値を比較し、操作光が入射しているかどうかを検知して点消灯を切り替えることができる。
【００５９】
前記実施形態の照明装置を複数並べて設けた照明システムを構成しても構わない。このようなものであれば、非常に多数の照明装置が並んでいたとしても、レーザポインタにより点消灯を切り替えたい照明装置を指すだけで、その照明装置の点消灯を切り替えることができるので、ごく一部だけ明るさを変更したり、人が作業するのに必要な領域だけを点灯させたりすることができる。このため、従来であればスイッチにより大雑把な領域ごとにしか点消灯を切り替える事が出来なかったところを一つずつの照明装置の点消灯を固定のパターンに限られることなく自由に切り替えることができるので、電気代の節約等のエコを推進することができる。
【００６０】
その他、本発明の趣旨に反しない限りにおいて、様々な変形や実施形態の組み合わせを行っても構わない。
【符号の説明】
【００６１】
１００・・・照明装置（ＬＥＤ蛍光管）
２・・・発光部
２１・・・発光素子
３・・・受光部
３１・・・受光素子
４・・・点消灯制御部
１４・・・拡散板（カバー部）
【図１】
2011243346.tif 000003
【図２】
2011243346.tif 000004
【図３】
2011243346.tif 000005
【図４】
2011243346.tif 000006
【図５】
2011243346.tif 000007
【図６】
2011243346.tif 000008
【図７】
2011243346.tif 000009